(57)【要約】【課題】必要量に応じて簡単にディスプレイの表示画面をスクロールすることができ、さらに文字入力や各種選択等にてペン入力手段を利用する場合においても画面スクロール操作を容易に行うができるスクロール装置を備えた携帯型端末を提供する。【解決手段】携帯型端末１０の画面表示部１２周囲に配置されたスクロールガイド部１５が、少なくとも一軸方向の位置座標を検出する座標検出部と該検出部に沿って形成された直線状凹部からなる溝部とを備えており、先端凸部を有する入力手段を該スクロールガイド部に沿ってスライドさせることにより位置座標を検出し、該検出された位置座標に基づき表示画面をスクロールする画面スクロール装置を備えており、好適には、該端末１０上面に設けられたスクロール方向切換部１５ｄにより、スクロール方向が前記一軸方向と直交する方向に変換するように構成する。【選択図】      図１
2004272787.tif 000002
【特許請求の範囲】
【請求項１】
少なくとも一軸方向の位置座標を検出する検出部を設け、該検出された位置座標に基づき表示画面をスクロールする画面スクロール装置を備えた携帯型端末において、
該スクロール装置が、画面表示部周囲に位置し前記検出部に沿って形成された直線状凹部からなるスクロールガイド部を備えており、先端凸部を有する入力手段を該スクロールガイド部に沿ってスライドさせることにより位置座標を検出することを特徴とする携帯型端末。
【請求項２】
画面表示部に接触して情報を入力するペン入力手段を有し、少なくとも一軸方向の位置座標を検出する検出部を設け、該検出された位置座標に基づき表示画面をスクロールする画面スクロール装置を備えた携帯型端末において、
該スクロール装置が、画面表示部近傍でその一辺に略平行に配置され前記検出部に沿って形成された直線状凹部からなるスクロールガイド部を備えており、前記ペン入力手段を該スクロールガイド部に沿ってスライドさせることにより位置座標を検出することを特徴とする携帯型端末。
【請求項３】
前記スクロールガイド部が、前記携帯型端末本体に設けられたペン収納部の底部に形成されることを特徴とする請求項１若しくは２記載の携帯型端末。
【請求項４】
スクロール方向が表示画面の一軸方向に対応した前記スクロールガイド部と、該スクロール方向を切換え可能なスクロール方向変換手段とを設け、該スクロール方向変換手段により前記スクロール方向が前記一軸方向と直交した方向に切り替わることを特徴とする請求項１若しくは２記載の携帯型端末。
【請求項５】
スクロール方向が表示画面の一軸方向に対応した第１のスクロールガイド部と、該一軸方向と直交する方向に対応した第２のスクロールガイド部とを設け、表示画面を４方向にスクロール可能としたことを特徴とする請求項１若しくは２記載の携帯型端末。
【請求項６】
前記スクロールによる表示画面移動量が、検出された前記位置座標の変位量若しくは変位速度に基づき算出されることを特徴とする請求項１乃至５の何れかに記載の携帯型端末。
【発明の詳細な説明】
【０００１】
【発明の属する技術分野】
本発明は、ディスプレイに表示された画面をスクロールする手段を備えた携帯型端末に関し、特に、入力された位置座標に基づき容易に画面をスクロールすることのできるスクロール装置を備えた携帯型端末に関する。
【０００２】
【従来の技術】
従来、ディスプレイに表示された画面をスクロールする技術として、例えば画面端の一辺に沿って垂直若しくは水平方向に表示されるスクロールバーをドラッグ又はタップし、これにより入力された位置情報を基に画面移動量を算出してスクロールを行う方法や、コンピュータ端末本体に具備されたスクロール用のボタンを操作してスクロールを行う方法等が一般に広く用いられている。
【０００３】
近年、情報端末のポータブル化が進み、これにより普及してきたＰＤＡや携帯電話機等の小型の携帯型端末においては限られたスペースの中で情報の入力や編集、送受信等の処理を行わなければならず、これらを容易に行うために例えばタッチパネル方式にしたり、ペン入力方式にするなどの様々な工夫がなされてきた。
画面のスクロール技術に関しても、携帯型端末に適用する場合にはディスプレイが小型化することから従来と同様の技術では不都合、不具合な点が生じることが多い。
【０００４】
例えばディスプレイに表示されるスクロールバーを利用する場合、画面に表示されるスクロールバーが小さく、細かい領域をタップしなければならずかなりの正確性が必要とされるため、意図しない誤操作を行ってしまう可能性が高い。そこで、スクロールバーを幅広に表示すると誤操作の可能性は低減するが、画面に表示できる情報量が減少してしまう。また、フラットな画面上をドラッグしなければならないため、ドラッグ位置がスクロールバーから外れてしまうことが多く発生し、意図しないタップ操作を行ってしまう。
【０００５】
また、スクロール用ボタンを利用する場合には、スクロール量が規定の値となってしまうため、利用者が所望しているスクロール量を一度で提供することは困難である。スクロール量を設定可能な手段も提案されてはいるものの、必要とするスクロール量はその都度変わるため、スクロールの度に設定変更を行うことが必要となり利用者にとって多大な労力となる。
そこで、一旦スクロール量を大きく設定して利用者の要求に幅広く応じられようにした場合、スクロール後に、直前まで閲覧していた箇所を見失う可能性があり、逆にスクロール量を小さく設定した場合は、多量のスクロールを必要とする際にボタンを連続して何度も押下しなければならず煩雑な操作となる。さらに、スクロールスピードも規定の速度になってしまうため、早過ぎると閲覧箇所を見失う可能性があり、遅過ぎると時間のロスになるとともに利用者のストレスにも繋がる。この場合も、設定変更により対応することは、場面によって必要とするスクロールスピードが異なるため無理がある。
【０００６】
そこで、特許第３１１２４２３号公報（特許文献１）には、被制御対象の増加などの変更を容易に入力できる装置として、端末本体より周面の一部が突出した回転子を備え、該回転子の円周方向の回動操作に対応した信号を生成して画面のスクロールを行うとともに、該回転子の周面から回転子中心軸方向への押圧操作に対応した信号を生成して画面に表示されたメニューの選択をすることを可能とした入力装置を開示している。
【０００７】
【特許文献１】
特許第３１１２４３２号公報
【０００８】
【発明が解決しようとする課題】
このように、特許文献１に開示される方法は、前記スクロール用ボタンの問題点と同様に１ストロークに対するスクロール量は規定値となるが、回転式の入力装置であるためボタンよりも連続入力が容易であり、１ストロークに対するスクロール量を小さく設定しておくことにより操作が比較的容易となり、利用者に対するストレスは小さくなる。
しかし、利用者が閲覧のみを行う場合にはかかる装置で問題ないが、文字入力やタップ等の入力操作が必要な場面では、通常誤操作を避けるためにボタン類には指をかけていない。そのため、入力中にスクロール操作が必要となった場合には本体を持ちかえる必要があり操作性が悪い。特に、ペン入力手段を具備する携帯型端末においては、本体の持ちかえ操作がより一層面倒になる。
また、かかる入力装置では、回転子の回動操作回数が非常に多いため、部品の消耗が激しく耐久性に問題があり、回転子が空回りするなどの不具合が発生し易い。
【０００９】
従って、本発明はかかる従来技術の問題に鑑み、必要量に応じて簡単にディスプレイの表示画面をスクロールすることができ、さらに文字入力や各種選択等をペン入力手段を利用する場合においても画面スクロール操作を容易に行うことを可能としたスクロール装置を備えた携帯型端末を提供することを目的とする。
【００１０】
【課題を解決するための手段】
そこで、本発明はかかる課題を解決するために、
少なくとも一軸方向の位置座標を検出する検出部を設け、該検出された位置座標に基づき表示画面をスクロールする画面スクロール装置を備えた携帯型端末において、
該スクロール装置が、画面表示部周囲に位置し前記検出部に沿って形成された直線状凹部からなるスクロールガイド部を備えており、先端凸部を有する入力手段を該スクロールガイド部に沿ってスライドさせることにより位置座標を検出することを特徴とする。
【００１１】
また、画面表示部に接触して情報を入力するペン入力手段を有し、少なくとも一軸方向の位置座標を検出する検出部を設け、該検出された位置座標に基づき表示画面をスクロールする画面スクロール装置を備えた携帯型端末において、
該スクロール装置が、画面表示部近傍でその一辺に略平行に配置され前記検出部に沿って形成された直線状凹部からなるスクロールガイド部を備えており、前記ペン入力手段を該スクロールガイド部に沿ってスライドさせることにより位置座標を検出することを特徴とする。
【００１２】
かかる発明では、前記検出部にて検出された位置座標に基づきスクロール量及びスクロール方向を算出しており、例えば、操作前の位置座標と操作後の位置座標との差分を算出してスクロール量に換算し、表示部に反映させることが考えられる。また、このとき前記一軸方向を一次元座標とみなして正負を割当て、前記位置座標の差分における正負の符号に応じてスクロール方向を決定する。
さらに好適には、画面表示処理を行う際に、画面全体を閲覧するために必要なスクロール量を予め算出し、これをスクロールガイド部の長さに対応させる処理を行っても良い。
【００１３】
さらに、これらの発明は入力ペンを備えた携帯型端末に適用される場合、前記スクロールガイド部が、前記携帯型端末本体に設けられたペン収納部の底部に形成されることが好ましい。
さらにまた、スクロール方向が表示画面の一軸方向に対応した前記スクロールガイド部と、該スクロール方向を切換え可能なスクロール方向変換手段とを設け、該スクロール方向変換手段により前記スクロール方向が前記一軸方向と直交した方向に切り替わることを特徴とする。
【００１４】
また、スクロール方向が表示画面の一軸方向に対応した第１のスクロールガイド部と、該一軸方向と直交する方向に対応した第２のスクロールガイド部とを設け、表示画面を４方向にスクロール可能としたことを特徴とする。
また、前記スクロールによる表示画面移動量が、検出された前記位置座標の変位量若しくは変位速度に基づき算出されることが好適である。
【００１５】
【発明の実施の形態】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
図１は本発明の第１実施形態にかかるスクロール装置を備えた携帯型端末の外観構成を示す斜視図、図２は図１に示す第１実施形態のスクロール装置の断面図、図３は図１に示す第１実施形態のスクロール装置の説明図、図４は本発明の実施形態にかかる携帯型端末の機能を示すブロック図である。
【００１６】
図１に示すように、かかる実施形態における携帯型端末１０は、端末表面に主に文字や画像を表示する為の小型のＬＣＤ等のディスプレイデバイスである表示部１２と、該表示部１２の周囲に設けられた各種文字や数字に対応したボタン等を具備する操作部１３と、これらが一面に配置され制御部、メモリ等の各種デバイスを内蔵した本体１１と、本実施形態の特徴となるスクロールガイド部１５と、を備えた構成となっている。
本実施形態では、前記表示部１２にタッチパネル方式を採用しており、入力ペン１６を用いて表示部１２に接触することにより情報を入力可能な携帯型端末としているが、表示部１２及び入力手段の形式はこれに限るものではない。
【００１７】
前記スクロールガイド部１５は、端末本体１１の上面側方で表示部１２の周囲に配置され、図２に示される構造を備えている。即ち、かかるスクロールガイド部１５は、直線状凹部である溝部１５ａと、その底部に延設されたペン接触座標検出部１５ｂとからなり、入力ペン１６等の先端凸部を有する入力手段を前記溝部１５ａに差込み、前記ペン接触座標検出部１５ｂに当接させた状態でスライドさせることにより入力ペン先端による接触を感知し、その一次元座標を検出する手段が設けられている。前記溝部１５ａは入力ペン１６がペン接触座標検出部１５ｂに触れることができ、安定して入力ペン１６をスライドさせることができる程度の深さ、幅に適宜設定する。
【００１８】
端末利用者は、画面スクロールが必要になった時、前記入力ペン１６の先端部を前記溝部１５ａに入れ、該先端部とペン接触座標検出部１５ｂとの当接点からスライドさせる。これにより、スライド操作後にペン接触座標検出部１５ｂで検出した座標と操作前の座標とを比較して、スクロール方向及びその差をスクロール量として算出し、この値に見合った量だけ表示部１２をスクロールさせることができる。
このとき、前記表示部１２の一軸方向、好適には該表示部側辺に略平行に前記スクロールガイド部１５を配置すると良く、これに対応した方向にスクロールが行われるようにすると、利用者が簡便に操作することができる。
また、例えば表示部１２の直交する二軸方向に２つのスクロールガイド部１５を設けても良く、これにより画面を縦方向及び横方向の二次元座標において自在にスクロールすることが可能となる。
【００１９】
さらに、前記表示部１２若しくは操作部１３などの本体上面にスクロール方向切換部１５ｄを設けても良い。これは該方向切換部１５ｄにより検出された信号に基づき、例えば信号検出前のスクロール方向と直交する方向等の異なる方向に信号検出後のスクロール方向を切換え、一つのスクロールガイド部１５のみで二次元座標上でスクロールさせることが可能となる。
このとき、前記スクロールガイド部１５が、前記本体１１の上面でかつ表示部１２の側辺に略平行に配置し、該方向切換部１５ｄによりこれと直交する方向にスクロール方向が切換えられるようにすると、利用者が簡便な操作で広い領域を閲覧することが可能となる。
【００２０】
図３は、スクロール方向、及びスクロール量の算出方法の一実施例である。例えば、スクロールガイド部１５の底部に延設されたペン接触座標検出部１５ｂを一次元座標軸２５とみなし、入力ペン１６により検出される座標を、スライド操作後の入力ペン１６の接触座標値２０と、スライド操作前の入力ペン１６’による接触座標値２０’とする。かかる実施例では、表示部１２の上方向を一次元座標の正の方向としているので、（操作後接触座標値２０−操作前接触座標値２０’）の値が正であれば入力ペン１６の移動方向は表示部１２の上方向であり、負であれば入力ペンの移動方向は下方向であるとみなせる。そして、この時の（２０−２０’）の絶対値からスクロール量を算出することができる。
【００２１】
ここで、スクロール量の算出に関する有効な方法について説明する。図３に示したスクロール算出方法において、入力ペン１６の移動量からスクロール量を算出できることを示したが、そのまま実現すると画面スクロール量は入力ペン移動量と同値となる。つまり、スクロールガイド部１５の長さ分の画面スクロールはできるが、画面表示上これよりも長いスクロールが必要となった場合、一度入力ペン１６をスクロールガイド部１５から離し、ペン接触位置を戻して更にスクロール操作を行わなければならなくなる。
【００２２】
そこで、勿論このまま実施しても良いが、画面表示処理を行う際に、画面全体を見渡すために必要となるスクロール量を予め算出し、これをスクロールガイド部１５の長さに対応させる処理を行っても良い。具体的には、スクロールガイド部１５の長さが（α）、画面表示上の全体を見渡すために必要となるスクロール量が（２×α）であった場合、図３のペン移動量（｜２０−２０’｜）を２倍にした値である（２×｜２０−２０’｜）がスクロール量となる。このようにすることで、入力ペン１６をスクロールガイド部１５の端点から他方の端点まで移動することにより、画面全体を見渡せるようになる。
【００２３】
図４に本発明の一例における携帯型端末の構成を示すブロック図を参照して、かかるスクロール装置につき説明する。
前記ペン接触座標検出部１５ｂで検知された位置座標若しくはスクロール方向切換部１５ｄで検出された方向変換信号は、スクロール量及び方向算出部２１に通知され、一旦記憶部２２に保存される。そして、入力ペン１６のスクロールにより前記位置座標と異なる座標値を検出したペン接触座標検出部１５ｂは、該検出した座標値を前記算出部２１に再び通知され、これに基づき記憶部２２蓄積されいた座標値を算出部２１に読出し、該算出部２１にて上記した演算によりスクロール方向及びスクロール量が算出される。
【００２４】
このようにして得られたスクロール方向及びスクロール量等のデータは画面表示処理部２３に通知され、これらのデータを基に表示部１２への表示タイミング等を制御し、該データを表示部１２へ転送して表示画面のスクロール操作が行われる。
また、前記スクロール方向切換部１５ｄで新しい信号が検出された場合は、前記算出部２１に送信され、前記記憶部２２から前回記憶したスクロール方向データを読出し、該算出部２１にて必要に応じてスクロール方向を演算し、画面表示処理部２３を介して表示部１２のスクロール方向を切換える。
【００２５】
次に、図５に本発明の第２実施形態にかかるスクロール装置を備えた携帯型端末３０を示す。かかる実施形態は、端末本体１１の上面側方に配置されたペン収納部３６を有する携帯型端末３０に適用可能である。図６に示すように、該ペン収納部３６は断面半円形状の直線凹部で形成され、入力ペンを保持可能な構造であり、該直線凹部の底部にさらにこれより狭幅の凹部である溝部３５ａが形成されている。そして、該溝部３５ａの底部にはペン接触座標検出部３５ｂが延設されており、該ペン接触座標検出部３５ｂへの入力ペン先端部の接触を感知してその一次元座標を検出する手段を具備している。前記溝部３５ａは、入力ペン１６の先端が凹部の底に触れることができる程度の深さ、幅となるように適宜設定する。
【００２６】
利用者は画面閲覧時にスクロールが必要となった場合、入力ペン１６の先端部を前記溝部３５ａに差込んでペン接触座標検出部３５ｂに接触させ、必要量だけ入力ペン先端部をスライドさせると、ペン接触座標検出部３５ｂにより検出した座標と直前の座標とを比較してスクロール方向、及びその位置座標の差を基にスクロール量を算出し、算出された値に見合った量だけ表示部１２をスクロールさせることができる。
図１の第１実施形態に示した構成を採用することにより本体上面カバーの厚みが増して端末の小型化を妨げる場合には、かかる第２実施形態の構成とすることが好適である。
【００２７】
尚、本第１及び第２実施形態ではスクロールガイド部１５、３５を、端末本体１１の上面に配置する場合につき記載したが、必要に応じて本体１１の側面などに配置しても良い。また、本実施形態におけるスクロールガイド部１５、３５を、音楽再生時の音量調節のスライダーや、プログレスバーなど、入力ペン等の入力手段での直線的な入力が必要な場面に応用させることも可能である。
勿論、かかる処理は画面表示上の長さが変わる度に設定し直す必要がある。また、ペン移動量と画面スクロール量の対応を前記のどちらとするかを、利用者が適宜選択可能に構成しても良い。
【００２８】
このようにかかる実施形態によれば、スクロールガイド部１５、３５の溝部１５ａ、３５ａに沿って入力ペン１６等の先端凸部を有する入力手段をスライドさせるのみでスクロール可能であるため、表示部１２に表示されるスクロールバーをタップするよりもはるかに容易に、かつ正確にスクロール操作を行うことができる。また、入力ペン１６を備えた携帯型端末に適用した場合、ペン操作のみで容易にスクロール動作を行うことができるため、ペン入力中に入力ペンを持ち替えて操作ボタンを押下してスクロールするなどの煩雑な操作を回避できる。
【００２９】
さらに、操作ボタンでのスクロールのように固定量のスクロールではなく、ペン移動量に見合った利用者の操作により直感的なスクロール量、スクロールスピードを容易に提供できる。
また、前記スクロールガイド部３５を、ペン収納部３６の底部に形成することにより、携帯型端末の厚みが増すことを防止し端末の小型化が達成できる。
さらにまた、前記スクロールガイド部１５を表示部１２の一軸方向に略平行に配置し、スクロール方向をこれに対応させた方向とすることで、視覚的にスクロール方向、スクロール量が判り易く操作性が向上する。
また、スクロール方向切換手段１５ｄを設けることで、簡単な操作で以って二次元方向のスクロール操作が可能となる。
【００３０】
【発明の効果】
以上記載のごとく本発明によれば、表示部が比較的小さく、スクロール動作が頻繁に必要になる携帯型端末においても、容易にかつ正確に表示画面のスクロール操作を行うことができる。またペン入力手段を備えた携帯型端末においても、スクロールの際の煩雑な操作を回避できる。
これにより、スクロール操作に対する利用者のストレスを解消することができる。
【図面の簡単な説明】
【図１】本発明の第１実施形態にかかる携帯型端末の外観構成を示す斜視図である。
【図２】図１に示す第１実施形態のスクロール装置の断面図である。
【図３】図１に示す第１実施形態のスクロール装置の説明図である。
【図４】本発明の実施形態にかかる携帯型端末の機能を示すブロック図である。
【図５】本発明の第２実施形態にかかる携帯型端末の外観構成を示す斜視図である。
【図６】図５に示す第２実施形態のスクロール装置の断面図である。
【符号の説明】
１０、３０  携帯型端末
１１      本体
１２      表示部
１５、３５      スクロールガイド部
１５ａ、３５ａ  溝部
１５ｂ、３５ｂ  ペン接触座標検出部
１５ｄ    スクロール方向切換ボタン
１６      入力ペン
２０      操作後接触座標
２０’    操作前接触座標
２５      一次元座標軸
３６      ペン収納部
【図１】
2004272787.tif 000003
【図２】
2004272787.tif 000004
【図３】
2004272787.tif 000005
【図４】
2004272787.tif 000006
【図５】
2004272787.tif 000007
【図６】
2004272787.tif 000008